(57)【特許請求の範囲】
【請求項１】
角層試料中に存在するポリアミン量を測定して、皮膚状態を評価する方法。
【請求項２】
角層試料中に存在するポリアミンを、染色する工程を含むことを特徴とする角層試料の調製方法。
【請求項３】
染色する工程が、５（６）−カルボキシテトラメチルローダミングリシンプロパギルエステル（Ｃａｒｂｏｘｙｔｅｔｒａｍｅｔｈｙｌｒｈｏｄａｍｉｎｅ  Ｇｌｙｃｉｎｅ  ｐｒｏｐａｇｙｌ  ｅｓｔｅｒ）を含む溶液に、角層試料を浸漬する工程である請求項２に記載の角層試料の調製方法。
【請求項４】
角層試料がテープストリッピング法によって採取されたものである請求項２又は３に記載の角層試料の調製方法。
【請求項５】
５（６）−カルボキシテトラメチルローダミングリシンプロパギルエステルで蛍光標識された角層試料を、蛍光顕微鏡観察することによって選択的に蛍光標識された皮膚角層のポリアミンの蛍光量を測定して皮膚状態を評価する方法。
【請求項６】
ポリアミン量の測定が、画像解析の手法による蛍光輝度の測定である請求項５に記載の皮膚状態を評価する方法。
【請求項７】
皮膚状態の評価が、皮膚表面形態を表す物性値としてキメの粗さ・キメの形状・キメの流れにくさ・キメスコアから選択されるいずれか１以上の項目である請求項５または６に記載の皮膚状態を評価する方法。
【請求項８】
皮膚状態の評価が、目視によるキメスコアである請求項５または６に記載の皮膚状態を評価する方法。
【請求項９】
角層試料の水抽出物から化学的分析方法により検出したポリアミン量を指標として皮膚状態を評価する方法。
【請求項１０】
角層試料がテープストリッピング法によって採取されたものである請求項１又は請求項５〜９のいずれかに記載の皮膚状態を評価する方法。
【発明の詳細な説明】
【技術分野】
【０００１】
本発明は、皮膚角層中のポリアミンを指標として皮膚の状態を評価する方法に関する。
【背景技術】
【０００２】
ポリアミンは体内でアミノ酸から合成される２つ以上のアミノ基を持つ物質である。全ての動物やヒトの細胞内で成長期に盛んに合成されている（非特許文献１）。細胞増殖時の核酸合成特にＲＮＡと強く結合し、ＲＮＡ構造を変化させ、成長期の多岐にわたる段階でタンパク質合成促進を行っている（非特許文献２）。
それ以外にも抗炎症作用（非特許文献３）、抗酸化作用（非特許文献４）、糖化抑制（非特許文献５）、寿命延長（非特許文献６）など様々な機能を有している。これらのことから、ポリアミンが細胞の生命現象に欠くべからざる物質であることが周知である。
加齢によって体内のポリアミン濃度が低下すること（非特許文献７）また、ポリアミンの合成には、一連の合成系酵素が必要であるが、この酵素は、加齢に伴って酵素活性が低下することが知られている（非特許文献８）。【０００３】
全身各臓器におけるポリアミンの存在量は既知である。例えば皮膚においては、真皮、表皮共に存在する。真皮、表皮のポリアミン（スペルミン、スペルミジン、プトレスシン）存在量も知られている(非特許文献９)。しかし、皮膚角層におけるポリアミンの量についての報告はない。
また、皮膚角層におけるポリアミンを特異的に検出する方法は、見当たらない。また皮膚角層におけるポリアミンの機能についても報告がない。
一方、近年癌の研究に伴って、細胞のポリアミンの研究が進んでおり、細胞の生存に悪影響を及ぼさない生体のポリアミン染色方法が提案されている（非特許文献１０）。この染色方法は、生細胞の生染色技術であって、皮膚角層のように生細胞と死細胞が混在する組織の染色に適用可能か不明である。【０００４】
角層は、皮膚を構成する４層のうち、最外層に位置し、角質、角質層ともいう組織であるが、この角層を採取して染色を行なって、組織観察することで皮膚の構造や機能、構成成分の作用効果なども判明しつつある。例えば、角層の形状を評価するには、粘着性のテープで角層を剥離させて採取し、この角層をそのまま、もしくは採取した角層をスライドガラスに転写して、角層を青色１号、紫色４０１号、緑色２０１号、黄色４号、黄色５号、黄色４０７号、赤色１０２号、橙色２０５号、ブリリアントグリーン、ヘマトキシリンなどの色素と有機酸とアルコールを用いた試薬や、コンゴレッド色素で染色し、観察する方法が行われている（特許文献１〜２）。
また、角層中に存在する物質から肌状態を評価する染色方法として、蛍光標識抗体を用いてＡＧＥｓ（ａｄｖａｎｃｅｄ  ｇｌｙｃａｔｉｏｎ  ｅｎｄ  ｐｒｏｄｕｃｔｓ）の存在量を指標として皮膚状態を評価する方法やＴＡＲＣ（Ｔｈｙｍｕｓ  ａｎｄ  ａｃｔｉｖａｔｉｏｎ−ｒｅｇｕｌａｔｅｄ  ｃｈｅｍｏｋｉｎｅ）の発現量を指標としてアトピー性皮膚炎の局所病態を評価する方法が記載されている（特許文献３〜４）。
特許文献５には、ヒドラジノ基含有蛍光物質によりカルボニル化した角層タンパク質を検出し、皮膚疾患の有無を検査する方法が記載されている。
このように皮膚角層を染色することで、皮膚の状態を判別する指標が開発されている。【０００５】
皮膚において、「肌理」または「キメ」という指標は、皮膚の表面形態が乱れている肌状態をあらわす場合に使用されている。健康な皮膚の表面では、皮溝、皮丘によって規定されるキメ（肌理）が形成され、光学的にも規則的である。しかし、肌荒れした皮膚の表面では、キメが乱れて、さらには鱗屑（スケーリング）が発生し光学的に不規則になり、肉眼でもその乱れを認知できるようになる。また、肌触りもスムースさに欠け、かさついた感触になる。
肉眼的にはスケーリングの程度、炎症反応による紅斑の程度をスコア化することが、当業者間では行なわれている。また表面形態をデジタルマイクロスコープで撮影して、画像解析によりスケーリング部分のみ抽出して評価をする、あるいは皮膚の測色により赤みの程度を定量化することが行なわれている。また、肌荒れに伴う表面形態の変化は、レプリカ法などによって計測することも可能である。さらに、肌荒れに伴う角層水分量の低下やバリア機能の低下は、角層コンダクタンスや経表皮水分蒸散量の測定など、皮膚を傷つけないで測定する機器を用いた非侵襲的な方法により評価する様々な方法が提案されている（特許文献６〜１２）。しかし必ずしも実感に即した評価方法が未だ提供されていないのが現状である。また評価にあたっても長年の経験が必要であり、習熟に専門的な訓練が必要であった。このキメの状態を客観的に評価測定する方法が求められている。
【先行技術文献】
【特許文献】
【０００６】
【特許文献１】特開２００６−５３１１７号公報
【特許文献２】特開２００７−２６３６５５号公報
【特許文献３】特許第５２７５８９８号公報
【特許文献４】特許第５０６５２３７号公報
【特許文献５】特開２００９−３６５５５号公報
【特許文献６】特開２００５−９５３２６号公報
【特許文献７】特開２００６−１８０９７１号公報
【特許文献８】特開２００７−１３０１０１号公報
【特許文献９】国際公開第２００９／１４２０６９号
【特許文献１０】特開２０１０−２７３７３６号公報
【特許文献１１】特開２０１０−２２５４７号公報
【特許文献１２】特開２０１７−２１６９４１号公報
【非特許文献】
【０００７】
【非特許文献１】Cell Tissue Kinet.1983.16,493-504
【非特許文献２】Biochem Biophys Res. Commun 2000 May 19;271(3):559-64. Igarashi et al.
【非特許文献３】J Exp Med. 1997 May 19;185(10):1759-68.Zhang M et al.
【非特許文献４】Proc. Natl. Acad. Sci. USA Vol. 95, pp. 11140-11145, September 1998
【非特許文献５】Life Sci. 2003 Apr 25;72(23):2603-16. Gugliucci et al.
【非特許文献６】Aging,August,2011 Vol.3,No.8,Nadege Minois et al.
【非特許文献７】Exp Gerontol. 1982;17(2):95-103. Ratna Das et al.
【非特許文献８】Exp Gerontol. 1993 Nov-Dec;28(6):565-72. Kiego Yoshinaga et al.
【非特許文献９】Arch Dermatol Res. 1983;275(4):218-21. P. EI Baze et al.
【非特許文献１０】Chemical Communications, 2017,53, 8403-8406， Katunori  Tanaka et al
【発明の概要】
【発明が解決しようとする課題】
【０００８】
本発明者らは、皮膚角層におけるポリアミンの量に着目し、角層のポリアミン量が皮膚のキメの指標となりうることを見出し、本発明をなした。
すなわち、本発明は角層中のポリアミン量を測定して皮膚状態を評価する方法であり、  その１つとしてポリアミンを選択的に染色し、皮膚角層試料を調製する方法、及び調製した試料を用いた皮膚角層のポリアミン量を測定する方法、さらにはポリアミン量の測定結果に基づく皮膚のキメを評価する方法を提供することを課題とする。【０００９】
本発明の主な構成は、次のとおりである。
（１）角層試料中に存在するポリアミン量を測定して、皮膚状態を評価する方法。
（２）角層試料中に存在するポリアミンを、染色する工程を含むことを特徴とする角層試料の調製方法。
（３）染色する工程が、５（６）−カルボキシテトラメチルローダミングリシンプロパギルエステル（Ｃａｒｂｏｘｙｔｅｔｒａｍｅｔｈｙｌｒｈｏｄａｍｉｎｅ  Ｇｌｙｃｉｎｅ  ｐｒｏｐａｇｙｌ  ｅｓｔｅｒ）を含む溶液に、角層試料を浸漬する工程である（２）に記載の角層試料の調製方法。
（４）角層試料がテープストリッピング法によって採取されたものである（２）又は（３）に記載の角層試料の調製方法。
（５）５（６）−カルボキシテトラメチルローダミングリシンプロパギルエステルで蛍光標識された角層試料を、蛍光顕微鏡観察することによって選択的に蛍光標識された皮膚角層のポリアミンの蛍光量を測定して皮膚状態を評価する方法。
（６）ポリアミン量の測定が、画像解析の手法による蛍光輝度の測定である（５）に記載の皮膚状態を評価する方法。
（７）皮膚状態の評価が、皮膚表面形態を表す物性値としてキメの粗さ・キメの形状・キメの流れにくさ・キメスコアから選択されるいずれか１以上の項目である（５）または（６）に記載の皮膚状態を評価する方法。
（８）皮膚状態の評価が、目視によるキメスコアである（５）または（６）に記載の皮膚状態を評価する方法。
（９）角層試料の水抽出物から化学的分析方法により検出したポリアミン量を指標として皮膚状態を評価する方法。
（１０）角層試料がテープストリッピング法によって採取されたものである（１）又は（５）〜（９）のいずれかに記載の皮膚状態を評価する方法。
【発明の効果】
【００１０】
本発明により、皮膚角層のポリアミンを検出又は選択的に染色する方法が提供される。またポリアミンを選択的に観察可能な、角層試料の調製方法及び調製した試料を用いた皮膚状態を評価する方法が提供される。本発明の方法は、角層中のポリアミンに選択的に蛍光色素が結合しているので、ポリアミンの観察が極めて容易である。したがって、角層中におけるポリアミンの状態を容易に観察することが可能である。また観察画像を画像解析することでポリアミン量を容易に計測でき、これを基準として皮膚のキメを客観的な数値として解析評価することができる。この皮膚のキメ評価は、従来の方法と異なり、検査担当者の専門的な訓練の必要がなく、短時間で評価測定が可能となるため利便性が高い。
【図面の簡単な説明】
【００１１】
【図１】被験者１９名の角層試料のポリアミン染色画像の蛍光顕微鏡撮影画像である。画像は、画像の目視観察結果に基づき３段階の評価によって分類している。
【図２】被験者の１９名の角層試料のポリアミン染色画像の蛍光輝度の散布図である。Ｘ軸は画像の目視評価評点、Ｙ軸は画像の平均輝度値／画像である。
【図３】被験者の１９名の角層試料のポリアミン染色画像の蛍光輝度とマイクロスコープによるキメの粗さデータの散布図及び、相関を評価した回帰直線を示す図である。
【図４】被験者の１９名の角層試料のポリアミン染色画像の蛍光輝度とマイクロスコープによるキメの形状データの散布図及び、相関を評価した回帰直線を示す図である。
【図５】被験者の１９名の角層試料のポリアミン染色画像の蛍光輝度とマイクロスコープによるキメの流れにくさデータの散布図及び、相関を評価した回帰直線を示す図である。
【図６】被験者の１９名の角層試料のポリアミン染色画像の蛍光輝度とマイクロスコープによるキメスコアデータの散布図及び、相関を評価した回帰直線を示す図である。
【図７】ヒト皮膚のレプリカ画像とその画像に対応するキメスコアを示す画像である。
【図８】被験者１５名の角層試料のポリアミン染色画像の平均輝度値とキメ目視スコアの散布図及び相関を評価した回帰直線を示す図である。
【図９】被験者２０名の角層試料のポリアミン染色画像の平均輝度値とポリアミンの化学分析値の散布図及び相関を評価した回帰直線を示す図である。
【発明を実施するための形態】
【００１２】
本願は、皮膚より採取した角層試料を、ポリアミン染色試薬により観察可能な状態とした角層試料を調製する方法の発明である。ポリアミン染色試薬とは、５（６）−Ｃａｒｂｏｘｙｔｅｔｒａｍｅｔｈｙｌｒｈｏｄａｍｉｎｅ−Ｇｌｙｃｉｎｅ  ｐｒｏｐａｇｙｌ  ｅｓｔｅｒで、グリシンプロパギルエステルがポリアミンと特異的に反応し、５（６）カルボキシテトラメチルローダミン（ＴＡＭＲＡ）を標識することにより、蛍光観察可能な状態とする。標識する色素は、５（６）カルボキシテトラメチルローダミン（ＴＡＭＲＡ）に限らず、蛍光色素、発光色素、着色色素のいずれでも良い。例えば、メロシアニン（Ｍｅｒｏｃｙａｎｉｎｅ）、ペリレン（ｐｅｒｙｌｅｎｅ）、アクリジン（ａｃｒｉｄｉｎｅ）、ルシフェリン（ｌｕｃｉｆｅｒｉｎ）、ローダミン（Ｒｈｏｄａｍｉｎｅ）、クマリン（ｃｏｕｍａｒｉｎ）、フルオロセイン（ｆｌｕｏｒｓｃｅｉｎ）、ウンベリフェロン（ｕｍｂｅｌｌｉｆｅｒｏｎｅ）などの色素があげられる。さらに、この試料の観察画像を画像解析にすることで皮膚角層のポリアミン量を蛍光輝度によって数値化して、皮膚の状態を評価することが、本発明の第２の発明である。さらにまた本発明の第３の発明は、観察画像の画像解析情報により、得られるポリアミン量を指標として皮膚のキメを評価するものである。以下に、更に詳細に説明を加える。
なお、本発明でいう「キメ」とは、ヒトの肌表面に本来存在する「皮溝」と呼ばれる溝と、その溝に囲まれ隆起した「皮丘」とからなる網目構造である。美しく、健康的な肌に見せるためには、キメを細かく目立たなくすることが重要なポイントである。キメは、加齢に伴って粗くなり、キメが流れて不規則、不明瞭となっていく傾向はあるものの、若年者でもキメが不明瞭な場合があることから、必ずしも老化とキメの粗さが直接影響するわけではない。このようにキメの形状は個人差が大きく、各人の持って生まれた皮膚形態であるといえる。
【００１３】
前記皮膚角層試料の採取、角層試料の処理及び角層試料の調製、画像解析データ取得と、皮膚状態の評価は、以下のように行うことが好ましい。
（工程１）角層剥離手段を用いて、皮膚より角層試料を採取する。
（工程２）工程１で採取した角層試料を、剥離面を上方にして透明板に貼り付ける。
（工程３）ポリアミンに対して特異的な結合能を有する５（６）−カルボキシテトラメチルローダミングリシンプロパギルエステルを含む溶液を滴下した後、一定時間静置する。
（工程４）工程３で得られた角層試料を水によって洗浄する。
（工程５）工程４で洗浄した角層試料を風乾して蛍光顕微鏡観察試料（標本）とする。
（工程６）工程５で得られた蛍光顕微鏡観察試料を、励起光５６０ｎｍ、蛍光光５８０ｎｍの観察条件で蛍光顕微鏡観察して蛍光画像データとして取得する。
（工程７）工程６で取得した蛍光画像の蛍光輝度をピクセルごとに黒から白の順序の０〜２５５グレーレベルで表示し試験試料のポリアミンの指標とする。
（工程８）工程８は、次のＡ又はＢいずれかの方法によってキメスコアを決定する工程である。
Ａ．多数の被験者から採取した角層試料の前記ポリアミンの指標値と、被験者の皮膚のキメの粗さ、キメの形状、キメの流れにくさ、キメスコアに基づく相関式から回帰直線をもとめ、この回帰直線から工程６で得られたポリアミン指標に対応する被験者の皮膚のキメの粗さ、キメの形状、キメの流れにくさ、キメスコアを決定する。
Ｂ．多数の被験者から採取した角層試料の前記ポリアミンの指標値と目視評価スコアに基づく相関式から回帰直線をもとめ、この回帰直線から工程６で得られたポリアミン指標に対応する被験者のキメスコアを決定する。
【００１４】
工程１の角層剥離手段は、バイオプシーや粘着テープを用いる方法のいずれであっても良い。被験者の負担を考慮すると粘着テープを用いる方法が好ましい。粘着テープを用いる方法は、テープストリッピング法と呼ばれる。
テープストリッピング法は、粘着性テープを皮膚に貼り付けた後、剥がして皮膚の表層を採取する方法である。
粘着剤としては、天然ゴム、ポリイソブチレン、ポリブタジエン、シリコーンゴム、ポリイソプレン、スチレン−イソプレン−スチレンブロック共重合体等の合成ゴム、ポリプロピレン、ポリスチレン、アクリル酸エステル共重合体等の合成樹脂等が用いられている。テープストリッピング法に用いる粘着テープは市販されており、これを使用しても良い。
【００１５】
工程２において、工程１で採取した角層試料を、剥離面を上方にして透明板に貼り付ける場合の透明板は、顕微鏡観察に適したガラス製あるいはアクリル製のものを用いることが好ましい。
【００１６】
工程３で用いる５（６）−カルボキシテトラメチルローダミングリシンプロパギルエステルを含む溶液は、市販されている細胞用のポリアミン染色試薬を用いることができる。５（６）−カルボキシテトラメチルローダミングリシンプロパギルエステルはグリシンプロパギルエステルが特異的にポリアミンに結合する特性を利用して、生細胞などの組織内に存在するポリアミンに結合することで、ポリアミンに赤色蛍光を付するものである。このような染色試薬としては、「ＰｏｌｙａｍｉｎｅＲＥＤ」（フナコシ株式会社）を例示することができる。
【００１７】
工程４における洗浄は、工程３で用いたポリアミン染色用試薬の、角層中のポリアミンと未反応の５（６）−カルボキシテトラメチルローダミングリシンプロパギルエステルを除去するために行なうものである。充分量の水を用いて少なくとも１〜１０回程度（好ましくは３〜５回）繰り返し洗浄する。洗浄に用いる水は、純水、イオン交換水、蒸留水、水道水等があげられるが、純水が好ましい。
【００１８】
工程５においては、前記工程４終了後、試料の水分を風乾させた後、顕微鏡観察用の試料（標本）とする。なお、長期間試料を保存する場合に用いる水溶性の封入剤（グリセリン系、クロラール系、ゼラチン系、特殊封入剤）によって封入標本としても良い。
【００１９】
工程６においては、前記工程５で用いた標本を蛍光顕微鏡により観察する。このとき、励起光５６０ｎｍ、蛍光光５８０ｎｍの条件で蛍光顕微鏡観察して蛍光データを取得する。蛍光データの取得は、あるいは標本をビデオスコープ等でモニターに写し出し、剥離採取した角層試料に含まれているポリアミンの量を蛍光輝度として確認する。このとき、ポリアミンは、赤色の蛍光を発し、蛍光輝度がすなわちポリアミン量の指標となる。この特異的な蛍光は、ポリアミン量と１対１の対応があることが確認されている（非特許文献１０参照）。
【００２０】
工程７において、上記工程６における蛍光顕微鏡に観察によって、確認評価したい標本の観察画像を選択して、デジタルカメラ等を用いて画像データとしてコンピュータに取り込む。そして取得した観察画像の取り込みデータを、画像処理によって数値化したデータを取得する。画像処理は、公知の画像処理システムであればどのようなシステムであっても使用可能である。このような画像処理システムとしては、本発明にあっては、「ＩｍａｇｅＪ」が適切な画像処理システムとして使用可能である。「ＩｍａｇｅＪ」は、オープンソースでパブリックドメインの画像処理ソフトウェアである。当業者であれば、容易に入手可能である。
前記ポリアミン類の存在に由来する、蛍光画像の輝度をピクセル（画素）ごとに黒から白の順序の０〜２５５グレーレベルで表示する。なお、グレーレベルの閾値の設定は、各画像の角層が写っていない部分（バックグラウンド）のグレーレベルの平均輝度をａとし、角層の重層部分（積層した部分）のグレーレベルの平均輝度値をｂとし、グレーレベルａ以上、ｂ未満の平均輝度値を、角層のポリアミン出力データとなるように、グレーレベル閾値を設定する。
かくして出力された画像データの画素数あたりの平均輝度値をポリアミン量の指標とする。
【００２１】
工程８においてはＡ、Ｂいずれかの工程を採用できる。
工程８のＡでは、皮膚表面形態を表す物性値として「キメの粗さ」、「キメの形状」、「キメの流れにくさ」、「キメスコア」について測定するものである。例えば、特開２０１７−１４０２０６号公報に記載の、肌理評価システムがあげられる。
工程８のＢでは、従来の皮膚の表面形態を表す物性値として、目視によるキメ評価を採用するものである。
以下、肌理評価システムを用いた皮膚表面形態を表す物性値として、肌理パラメータを算出する方法を工程に沿って説明する。また目視によるキメ評価値を、ポリアミンを指標として決定する方法について説明する。
【００２２】
（１）複数者の肌拡大画像撮影
まず、複数者の肌の拡大画像を撮像する。この撮像装置は、レンズ部と照光部とを備える。撮像した画像に影が生じると、モノクロ画像とした時に影部分が実際よりも濃くなり、濃淡値から算出する肌理パラメータに狂いが生じるため、レンズ部を取り囲むように複数の照光部を配置することが好ましい。例えば、ＬＥＤ等の点光源からなる複数の照光部を、レンズ部を中心とする円周上にｎ回回転対象（ｎ≧３）に配置することが好ましい。また、照光部は、同心円である２個以上の円周上に配置することもでき、全円周上を照光部とすることもできる。このような撮像装置としては、デジタル式のマイクロスコープが望ましく、例えば、ｉ−ＳＣＯＰＥ（株式会社モリテックス製）をあげることができる。
撮像箇所は、小じわ、しわ等が存在しない滑らかな部分が好ましく、例えば頬、額などがあげられる。また、反射光が強くなるテカリ（油脂）を拭き取り、女性の場合はメイク等を落としてから撮像する。
【００２３】
（２）モノクロ画像変換
撮像した画像は、画像データとしてコンピュータに取りこみ、拡大画像をモノクロ画像に変換する。ここで、モノクロ画像とは、多階調単色画像を意味する。モノクロ画像の色調は特に制限されず、例えば、赤成分（Ｒ）、緑成分（Ｇ）、青成分（Ｂ）のいずれかを用いることができる。画像の濃淡が最も明確に判断できるため、緑成分（Ｇ）を用いることが好ましい。また、モノクロ画像に変換する前、または後に、ノイズ低減のためのスムージング処理、照明ムラを補正するうねり取り処理等を行うことができる。
【００２４】
（３）工程８Ａによる肌理パラメータ算出と評価
このモノクロ画像の各画素（ｘ、ｙ）における濃淡を表す数値Ｚ（ｘ、ｙ）から肌理の状態と相関を有する肌理パラメータとして、Ｓａ’、ＰＳｍ’、Ｓｔｒ’を算出する。
Ｓａ’：画面全体のＺ（ｘ、ｙ）の絶対値の平均値を計算して、Ｓａ’とした。
ＰＳｍ’：情報によりノイズ除去を行った後、最大値の１／１０の値を正のしきい値、最小値の１／１０の値を負のしきい値とし、画面内に縦８本、横６本のサンプリングラインを等間隔にとり、サンプリングライン上でスキャンして、負のしきい値以下になる点から次に負のしきい値以下になる点までの距離を求めた。縦ごと、横ごとにこの値を平均し、最後に縦と横の値の平均をＰＳｍ’とした。
Ｓｔｒ’：画像中心部の１２０×１２０画素の領域を切り出し、この領域から計算した自己相関係数（ＡＣＦ）の最大値の０．３倍をしきい値として、長軸半径と短軸半径を求め、この比（長軸半径／短軸半径）をＳｔｒ’とした。
本発明における、「キメの粗さ」とは、表面粗さパラメータである算術平均高さ（ＩＳＯ  ２５１７８）に相当し、前記算出したＳａ’（肌の凹凸に関する疑似算術平均高さ）として、数値が大きいほどキメが粗い状態を意味する。また、「キメの形状」とは表面粗さパラメータの輪郭曲線要素の平均長さ（ＪＩＳ  Ｂ０６０１−２００１）に相当し、前記算出したＰＳｍ’（疑似輪郭曲線要素の平均長さ）として数値が小さいほどキメが細かい状態を意味する。「キメの流れにくさ」とは表面粗さパラメータの表面性状のアスペクト比（ＩＳＯ  ２５１７８）に相当し、前記算出したＳｔｒ’（疑似表面性状のアスペクト比）として、数値が小さいほどキメが流れている状態を意味する。なお、「キメスコア」とは、肌の拡大画像の肌理の細かさ、規則正しさ、等方性を専門判定者が総合的に数値化した目視スコア実測値（１〜１０の１０段階を数値化）を目的変数、前記算出したＳａ’、ＰＳｍ’、Ｓｔｒ’を説明変数として得られた重回帰式から求められる目視スコア理論値であり、下記式にあてはめ算出した。キメスコアは、数値が大きいほど目視スコアの数字が高く、キメがよいことを意味する。
キメスコア＝Ａ×Ｓａ’＋Ｂ×ＰＳｍ’＋Ｃ×Ｓｔｒ’＋Ｄ（ただし、Ａ、Ｂ、Ｃは係数、Ｄは定数である。） 
【００２５】
前記工程１〜６で得られた角層ポリアミンの蛍光輝度情報と二次回帰式を求めておき、得られた回帰式と測定しようとする被験者の角層ポリアミンの蛍光輝度情報データによって、皮膚の「キメの粗さ」、「キメの形状」、「キメの流れにくさ」、「キメスコア」の評価を行なう。
【００２６】
（４）工程８Ｂの目視評価
工程８のＢでは、従来の皮膚の表面形態を表す物性値として、目視によるキメ評価を採用する。これを、被験者の角層ポリアミンの蛍光輝度情報データと相関を回帰分析によって評価する。
【００２７】
以上の工程を経ることで、短時間で、角層中のポリアミンを選択的に染色し、皮膚角層試料を調製でき、調製した試料を用いた皮膚角層のポリアミン量を測定し、さらにはポリアミン量の測定結果に基づく皮膚のキメを評価することができる。
【００２８】
なお、皮膚角層のポリアミン量を検出する方法は上記以外にもあり、適宜選択してよい。例えば、高速液体クロマトグラフ法などの化学的分析方法、免疫組織染色方法などの生化学的分析方法、化学的特徴を利用してポリアミン残基に蛍光標識する方法が例示でき、それらのいずれであっても良い。化学的分析方法や生化学的分析方法は剥離した角層試料をホモジネートし、これによりポリアミンを水抽出したものを試料とする。抽出方法は、たとえば凍結融解法、超音波破砕法、ホモジネート法等を介して可溶性画分とする方法があげられる。ポリアミン残基に蛍光標識する方法は、剥離した角層を試料とする。
【実施例】
【００２９】
以下に試験例を示し、本発明を具体的に説明する。
＜試験１＞
本試験においては、皮膚角層のポリアミン量を染色により検出する方法によって角層中のポリアミンを直接観察した例を示す。
１．蛍光顕微鏡観察用試料の調製
皮膚の角層剥離用粘着テープとして２．５ｃｍ×２．５ｃｍの角質チェッカー（アサヒバイオメッド社）を用いた。
年齢４６歳〜５５歳の女性被験者１９名の頬部より前記の角質チェッカーを用いて、テープストリッピング法により角層を採取した。
採取した角層を透明スライドガラス上にのせ、ＰｏｌｙａｍｉｎｅＲＥＤ（フナコシ株式会社）を５００μｌジメチルスルフォオキシド（ＤＭＳＯ）で溶解し１６４０μＭに調製した。この希釈液は、小分け分注して−２０℃保存した。
この凍結保存試薬を、使用直前に、さらに蒸留水にて１０００倍に希釈（１．６４μＭ）し、染色に用いた。
角層チェッカーの角層採取面に、前記１．６４μＭのＰｏｌｙａｍｉｎｅＲＥＤ染色液を５０ｍｌ滴下し、３０秒反応させた後、精製水を用いて充分洗浄した。風乾後、観察試料とした。【００３０】
２．蛍光顕微鏡観察
Ｏｌｙｍｐｕｓ  ＢＸ６３蛍光顕微鏡を用いて、顕微鏡付属の蛍光ユニットＷＩＧフィルターで励起波長：５６０ｎｍ、蛍光波長：５８５ｎｍで、視野倍率１０〜２０倍で観察し、デジタルカメラにより画像を撮影した。【００３１】
３．画像解析
得られた画像を、米国国立衛生研究所 （ＮＩＨ）で公開されているＩｍａｇｅＪマニュアルにしたがって画像解析を行った。蛍光を有する角層細胞の領域を抽出するため、背景部分及び角層の重層部分を除いて、蛍光測定閾値を設定した。この閾値の輝度の平均した数値を、１画像あたりの輝度値とした。【００３２】
４．結果
全１９例の被験者の、角層の蛍光観察画像及び、被験者の個体番号、並びに画像の輝度を図１に示した。なお各画像は、蛍光顕微鏡観察にあたって、従来専門の研究員が行なっている観察基準に沿って、目視による蛍光強度評価１（低い）、評価２（普通）、評価３（強い）の３段階に分類した。【００３３】
また、被験者のＩＤ、目視評価、画像の輝度を下記の表１に一覧表として示した。【００３４】
【表１】
0006703218.tif 000002
【００３５】
このデータを、Ｘ軸を目視判定評価値、Ｙ軸を輝度値とした二次元配置でプロットしたところ図２に示すような散布図を得た。
図２から、皮膚角層のポリアミン染色の画像から読み取ることのできた蛍光輝度の値は、蛍光顕微鏡観察における目視評価に代替できるものと考えられた。
すなわち、皮膚角層の５（６）−Ｃａｒｂｏｘｙｔｅｔｒａｍｅｔｈｙｌｒｈｏｄａｍｉｎｅ  Ｇｌｙｃｉｎｅ  ｐｒｏｐａｇｙｌ  ｅｓｔｅｒで蛍光染色したとき、顕微鏡画像の輝度を画像解析処理によって読み取るだけで、熟練した研究者と同等に、角層試料中のポリアミン量の多寡を瞬時に読み取ることが可能となった。【００３６】
＜試験２（皮膚角層ポリアミンを指標とする皮膚のキメ評価）＞
試験１で被験者とした１９名について、角層試料採取部位の近傍におけるキメの状態を特開２０１７−１４０２０６号公報に記載の肌理評価システムを参考に、マイクロスコープを用いたキメ評価を行った。
（１）評価方法
マイクロスコープ（株式会社モリテックス製）、撮像ソフト（アイスコープビューワー  Ｖｅｒ３．０）を用いて拡大画像の撮像を行った。得られた画像は画像データとしてコンピュータに取りこみ、緑成分のみ抜き出し２５６諧調のモノクロ画像に変換した。３次関数でフィッティングして、うねり取り処理（うねり面のＺ座標を０とする）を行った。
このモノクロ画像の各画素における濃淡を示す値（Ｚ（ｘ、ｙ））から、肌理パラメータＳａ’、ＰＳｍ’、Ｓｔｒ’を算出し、下記重回帰式を用いてキメスコアを算出した。
キメスコア＝−３８．６４９×Ｓａ’−０．２８７×ＰＳｍ’＋２．８８４×Ｓｔｒ’＋１９．４６０
１）キメの粗さ：前記算出したＳａ’（肌の凹凸に関する疑似算術平均高さ）を測定値として、数値が大きいほどキメが粗い状態を意味する。
２）キメの形状：前記算出したＰＳｍ’（疑似輪郭曲線要素の平均長さ）を測定値として、数値が小さいほどキメが細かい状態を意味する。
３）キメの流れにくさ：前記算出したＳｔｒ’（疑似表面性状のアスペクト比）を測定値として、数値が小さいほどキメが流れている状態を意味する。
４）キメスコア：キメの目視スコアの理論値であり前記重回帰式にあてはめ算出した結果を測定値として、数値が大きいほど目視スコアの数字が高く、キメがよいことを意味する。【００３７】
（２）評価結果
各項目の測定結果及び蛍光輝度値を下記の表２に示す。【００３８】
【表２】
0006703218.tif 000003
【００３９】
表２に示す各項目の測定データ、及び試験１で得た、角層のポリアミン染色による蛍光輝度データを重回帰分析することで、前記の１）キメの粗さ、２）キメの形状、３）キメの流れにくさ、４）キメスコアとの相関係数を求めた。
各項目の相関係数及び回帰直線の回帰式は次のとおりである。【００４０】
キメの粗さと蛍光輝度の相関係数Ｒ＝−０．４３２
回帰式：ｙ＝−０．０００５ｘ＋０．１８６１
キメの形状と蛍光輝度の相関係数Ｒ＝−０．２１６
回帰式：ｙ＝−０．０３７９ｘ＋２６．５０２
キメの流れにくさと蛍光輝度の相関係数Ｒ＝０．３１２
回帰式：ｙ＝０．００２ｘ＋０．３２８
キメスコアと蛍光輝度の相関係数Ｒ＝０．３７２
回帰式：ｙ＝０．０４６７ｘ＋−１．９２６【００４１】
また、各評価項目と輝度データの二次元配置の散布図、回帰直線を図３〜６に示す。
各項目の相関係数Ｒと図３〜６から、キメの粗さと蛍光輝度は逆相関、キメの形状と蛍光輝度は逆相関、キメの流れにくさと蛍光輝度は正の相関、キメスコアと蛍光輝度は正の相関であることがわかった。【００４２】
＜試験３（皮膚角層ポリアミン（ポリアミン平均輝度値）と目視キメ評価（キメ目視スコア）の相関試験）＞
（１）試験方法
２６歳〜４９歳の男性の左右頬部より、角層チェッカー（アサヒバイオメッド社）を用いた角層を、同部位よりＳＫＩＮ  ＣＡＳＴ（アール・エス・アイ社）を用いたレプリカを、各１５検体採取した。
角層のポリアミン染色は、０．５枚の角層チェッカーの角層採取面にＤＭＳＯで調製した１．６４μＭのＰｏｌｙａｍｉｎｅＲＥＤ（フナコシ株式会社）を滴下し、３０秒反応させた後に蒸留水中で洗浄、風乾後に、オールインワン蛍光顕微鏡  ＢＺ−Ｘ８００（株式会社キーエンス）で画像を撮影した。
取得した画像から、Ｉｍａｇｅ  Ｊ（ＮＩＨ）を用いて、背景部分及び角層の重層部分を除く蛍光測定閾値の範囲内の画素を抽出し、角層ポリアミン染色の平均輝度値を算出した。また、採取した皮膚のレプリカはマイクロスコープ（ＶＬ−７ＥＸII、スカラ株式会社製）を用いて３０倍の拡大画像の撮像を行い、得られた画像からキメの目視スコアを作成した。  
キメの目視スコアとは、キメが細かく、規則正しく、等方性であると、キメの状態がいいと判断される。この拡大画像のキメの細かさ、規則正しさ、等方性を、専門判定者が総合的に数値化して目視スコア実測値を作成したものをいう。このスコア数値が高い程肌が滑らかであり、見た目の肌年齢が若いことを表している。なお目視スコアとレプリカ画像を対応させたものを図７に示す。
そして同一部位で得られたポリアミン染色の平均輝度値とキメの目視スコア相関を評価計算した。【００４３】
（２）結果
下記表３に輝度値/画像（平均輝度値）とキメの目視スコアを示す。【００４４】
【表３】
0006703218.tif 000004
【００４５】
表３のデータに基づくキメ目視スコア（ｙ）と平均輝度値（ｘ）の相関係数及び回帰式は次のとおりである。
キメ目視スコアとポリアミン平均輝度値の相関係数Ｒ＝０．７７
回帰式：ｙ＝０．０６６４ｘ−１．０２３３
このように、キメ目視スコアと皮膚角層のポリアミン平均輝度値は、高い相関性があることが分かった。【００４６】
以上の試験１、試験２、試験３の結果から、角層中のポリアミン量の多寡を、５（６）−カルボキシテトラメチルローダミンで蛍光標識することで容易に測定することが可能となった。またこの５（６）−カルボキシテトラメチルローダミンで角層中のポリアミンを選択的に蛍光標識すると、蛍光量を指標として皮膚のキメを容易に評価できることが明らかとなった。【００４７】
＜試験４（化学分析による角層中のポリアミン量の測定）＞
（１）試験方法
６歳〜４９歳の男女２０名の左右頬部より各１枚、角層チェッカー（アサヒバイオメッド社）により角層を採取した。採取した角層の角層テープは、１枚を４等分し、１．７５枚を抽出に、０．２５枚を染色による定量に用いた。
１）ポリアミン定量
ガラスビーズを入れた蒸留水５００μｌへ採取した角層テープを入れ、ビーズ式細胞破砕装置（株式会社トミー精工）を用い、４５００ｒｐｍ１８０ｓｅｃの条件で角層中タンパク質を抽出した。本角層抽出液にＬＣ−ＭＳ（液体クロマトグラフィー質量分析）用誘導体化処理を行った。誘導体化処理はダンシルクロリドのアセトン溶液（１０ｍｇ／ｍｌ）３００μｌを添加し、攪拌後、飽和炭酸ナトリウム水溶液５０μｌを添加し、再び攪拌後に室温にて一晩静置した。翌日、プロリン水溶液（１００ｍｇ／ｍｌ）５０μｌを添加し、室温で３０分間静置後、トルエン５００μｌを加えて攪拌し、遠心後に分取したトルエン層を窒素により乾固し、アセトン：水＝１：１混液１００μｌに溶解した。誘導化処理サンプルをＬＣ−ＭＳで分析し、ポリアミンを定量した。ＬＣ−ＭＳ分析条件を以下に示す。【００４８】
カラム：Ｃａｐｃｅｌｌ  Ｐａｋ  ＵＧ１２０    ２．０  ｘ  １００ｍｍ  ５μｍ  （株式会社大阪ソーダ）
カラム温度：４０℃
移動相Ａ：０．０１Ｍ  酢酸アンモニウム／水
移動相Ｂ：アセトニトリル
イオン化法：ＥＳＩ（正イオン検出モード）
検出法：ＳＩＭモード
ｍ／ｚ：５５５（プトレシン）、８４５（スペルミジン）、１１３５（スペルミン）【００４９】
上記角層抽出液より一部を分取し、Ｐｉｅｒｃｅ  ＢＣＡ  ｐｒｏｔｅｉｎ  ａｓｓａｙ  ｋｉｔ  （Ｔｈｅｒｍｏ  ＳＣＩＥＮＴＩＦＩＣ）を用いて角層中総タンパク量の測定を行った。同時に精製ウシ血清アルブミンを標準品として検量線を作成し、吸光度からタンパク量を算出した。ＬＣ−ＭＳによる各ポリアミン  （プトレシン、スペルミジン、スペルミン）の合計値を総蛋白量で除した値を、総ポリアミン量とした。【００５０】
２）ポリアミン染色
上記で述べたとおり、分割した０．２５枚の角層チェッカーの角層採取面にＤＭＳＯで調整した１．６４μＭのＰｏｌｙａｍｉｎｅＲＥＤ（フナコシ株式会社）を滴下し、３０秒反応させた後に蒸留水中で洗浄、風乾後に、Ｏｌｙｍｐｕｓ  ＢＸ６３蛍光顕微鏡、ＷＩＧフィルター（励起波長：５６０ｎｍ、蛍光波長５８５ｎｍ）で観察して画像を取得した。
取得した画像は、Ｉｍａｇｅ  Ｊ（ＮＩＨ）を用いて、背景部分及び角層の重層部分を除く蛍光測定閾値の範囲内の画素を抽出し、１画像あたりの角層のポリアミン染色の平均輝度値を算出し、３視野の平均を分析値と比較した。【００５１】
（２）結果
２０名の角層をポリアミン染色による平均輝度値及び化学分析を行った結果を下記の表４に示す。【００５２】
【表４】
0006703218.tif 000005
【００５３】
表４に基づいて得られた散布図を図９に示す。
相関を確認したところ、輝度値と総ポリアミン量に相関関係が見られた（図９）。この結果より、角層ポリアミン染色の輝度値は、ポリアミンの化学的分析値に代替できることが明らかとなった。すなわち、角層中のポリアミンを化学的分析を行うことで皮膚のキメの状態を評価可能である。
【要約】
角層試料中のポリアミンを選択的に染色する方法、及びポリアミン量を指標として皮膚のキメを評価する方法を提供することを課題とする。解決手段として、角層試料中に存在するポリアミンに、選択的に５（６）−カルボキシテトラメチルローダミングリシンプロパギルエステル（Ｃａｒｂｏｘｙｔｅｔｒａｍｅｔｈｙｌｒｈｏｄａｍｉｎｅ  Ｇｌｙｃｉｎｅ  Ｐｒｏｐａｇｙｌ  ｅｓｔｅｒ）で蛍光標識する工程を含むことを特徴とする蛍光顕微鏡観察用角層試料の調製方法を提供する。【図１】
0006703218.tif 000006
【図２】
0006703218.tif 000007
【図３】
0006703218.tif 000008
【図４】
0006703218.tif 000009
【図５】
0006703218.tif 000010
【図６】
0006703218.tif 000011
【図７】
0006703218.tif 000012
【図８】
0006703218.tif 000013
【図９】
0006703218.tif 000014